(57)【要約】【課題】２つの光源が発する照明光を切り替えたときの、照明光の輝度のバランスの変化や、２つの光源が同時に照明光を発したときの色ムラの発生といった現象を、極力抑制すること。【解決手段】発光装置１０は、表示面１１ａに有している１つの細長い透光部１２に対し、互いに色が異なる照明光３１，３２を発する第１及び第２の光源１４，１５が配置され、この第１及び第２の光源１４，１５がそれぞれ発した前記照明光３１，３２を前記透光部１２から透過する。前記第１及び第２の光源１４，１５は、前記細長い透光部１２の長辺１２ａに対して両側に、対向し合って位置している。前記第１及び第２の光源１４，１５と前記細長い透光部１２との間には、前記第１及び第２の光源１４，１５がそれぞれ発した前記各照明光３１，３２を前記細長い透光部１２へ個別に導く導光部１６が位置している。【選択図】図２
2018069768.tif 000002
【特許請求の範囲】
【請求項１】
細長い透光部を有した前面パネルと、この前面パネルの裏側に位置して互いに色が異なる照明光を発する第１及び第２の光源とを含み、この第１及び第２の光源からそれぞれ発せられた前記照明光が前記透光部を透過する発光装置であって、
前記第１の光源と前記第２の光源とは、前記細長い透光部の長辺に対して両側に、対向し合って位置し、
前記細長い透光部と前記第１及び第２の光源との間には、この第１及び第２の光源がそれぞれ発した前記各照明光を前記細長い透光部へ個別に導く導光部が位置していることを特徴とする発光装置。
【請求項２】
前記導光部は、前記第１及び第２の光源がそれぞれ発した照明光を個別に反射する第１及び第２の反射面によって構成されていることを特徴とする請求項１記載の発光装置。
【請求項３】
前記導光部は、前記第１及び第２の光源がそれぞれ発した照明光を前記細長い透光部へ個別に導く、導光体によって構成されており、
この導光体は、前記第１の照明光を入射する第１の入射面と、この第１の入射面から入射した前記第１の照明光を反射する第１の反射面と、前記第２の照明光を入射する第２の入射面と、この第２の入射面から入射した前記第２の照明光を反射する第２の反射面と、前記第１及び第２の反射面からそれぞれ反射された前記第１及び第２の照明光を出射する出射面とを有していることを特徴とする請求項１記載の発光装置。
【請求項４】
前記細長い透光部は、前記導光体に一体形成された透光性の凸条部によって構成されたことを特徴とする請求項３記載の発光装置。
【発明の詳細な説明】
【技術分野】
【０００１】
本発明は、複数の色の照明光によって表示をすることが可能な発光装置に関する。
【背景技術】
【０００２】
例えば、車両に搭載される発光装置のなかには、車両の各部位の異常状態を警告表示する集中インジケータとは別に、アンビエント発光器（アンビエント表示器）が組み込まれているものがある。このアンビエント発光器は、車両の各部位の異常状態が発生していないときに、各部位が正常状態にあることを、照明光によって積極的に表示する。この種の発光装置に関する従来技術として、例えば特許文献１に開示される技術がある。
【０００３】
特許文献１で知られている発光装置は、車両用計器の上部中央に組み込まれたアンビエント発光器からなる。このアンビエント発光器は、前面パネルの表示面に有した透光部と、前面パネルの裏側に位置した複数の光源とを備えている。透光部の形状は、表示面に沿って細長い横長形状である。複数の光源は、細長い透光部に沿って等間隔に配列されている。複数の光源から発せられた照明光は、透光部を透過する。この透光部を透過した照明光によって、アンビエント表示をすることができる。
【０００４】
近年、アンビエント表示の表示色を切り替えたり、複数の表示色を混合する（混色する）、いわゆる多色表示化を図る開発が進められている。アンビエント表示の表示色を複数に切り替えることによって、表示内容の多様化を図ることができる。その場合に、多色発光ダイオードを多数採用することも考えられるが、コストアップの要因となり得る。
【０００５】
そこで、互いに色が異なる照明光を発する第１及び第２の光源を、前面パネルの裏側に配置することが考えられる。この場合、細長い透光部に対する２つの光源を配置するアンビエント発光器として、次の第１及び第２の構成が考えられる。
【０００６】
第１のアンビエント発光器は、透光部の長手方向の両端に、２つの光源を配置する構成である。しかし、両端に位置している２つの光源から発せられた照明光同士を、輝度ムラなく混色するのは、困難である。
【０００７】
第２のアンビエント発光器１００は、図８及び図９に示される構成である。詳しく述べると、アンビエント発光器１００は、表示面１０１に沿って細長い透光部１０２を有した前面パネル１０３と、この前面パネル１０３の裏側に離間して位置した基板１０４と、この基板１０４に隣り合うように実装された第１及び第２の光源１０５，１０６と、この第１及び第２の光源１０５，１０６がそれぞれ発した照明光１０７，１０８を透光部１０２へ向かって反射する単一の反射部１０９とを含む。第１及び第２の光源１０５，１０６は、細長い透光部１０２の長辺１０２ａに対して片側に配置されており、互いに色が異なる照明光１０７，１０８を、それぞれ発する
【０００８】
このように、透光部１０２の長辺１０２ａに対して片側に、第１及び第２の光源１０５，１０６をまとめて配置している。各光源１０５，１０６が発した照明光１０７，１０８の両方を、単一の反射部１０９によって透光部１０２へ反射することができる。つまり、各照明光１０７，１０８を反射するのに、単一の反射部１０９を共用している。
【０００９】
反射部１０９によって反射された各照明光１０７，１０８は、どちらも透光部１０２からそれぞれ任意の適切な照明状態で出射されることが好ましい。そのためには、各照明光１０７，１０８の両方を、反射部１０９によって適切に反射できることが求められる。つまり、２つの光源１０５，１０６が発する照明光１０７，１０８を切り替えたとき（照明光切り替え時）の、（各光源１０５，１０６が基板１０４の同一位置に実装されていないことに起因した）照明光１０７，１０８の輝度のバランスの変化や、２つの光源１０５，１０６が同時に照明光１０７，１０８を発したとき（混色時）の色ムラの発生といった現象を、抑制する何等かの改良の余地がある。
【先行技術文献】
【特許文献】
【００１０】
【特許文献１】特開２００２−０７９８４７号公報
【発明の概要】
【発明が解決しようとする課題】
【００１１】
本発明は、２つの光源が発する照明光を切り替えたときの、照明光の輝度のバランスの変化や、２つの光源が同時に照明光を発したときの色ムラの発生といった現象を、極力抑制することができる技術を提供することを課題とする。
【課題を解決するための手段】
【００１２】
請求項１による発明によれば、発光装置は、細長い透光部を有した前面パネルと、この前面パネルの裏側に位置して互いに色が異なる照明光を発する第１及び第２の光源とを含む。この第１及び第２の光源からそれぞれ発せられた前記照明光が前記透光部を透過する。前記第１の光源と前記第２の光源とは、前記細長い透光部の長辺に対して両側に、対向し合って位置し、前記細長い透光部と前記第１及び第２の光源との間には、この第１及び第２の光源がそれぞれ発した前記各照明光を前記細長い透光部へ個別に導く導光部が位置していることを特徴とする。
【００１３】
請求項２に記載のごとく、好ましくは、前記導光部は、前記第１及び第２の光源がそれぞれ発した照明光を個別に反射する第１及び第２の反射面によって構成されている。
【００１４】
請求項３に記載のごとく、好ましくは、前記導光部は、前記第１及び第２の光源がそれぞれ発した照明光を前記細長い透光部へ個別に導く、導光体によって構成されている。この導光体は、前記第１の照明光を入射する第１の入射面と、この第１の入射面から入射した前記第１の照明光を反射する第１の反射面と、前記第２の照明光を入射する第２の入射面と、この第２の入射面から入射した前記第２の照明光を反射する第２の反射面と、前記第１及び第２の反射面からそれぞれ反射された前記第１及び第２の照明光を出射する出射面とを有している。
【００１５】
請求項４に記載のごとく、より好ましくは、前記細長い透光部は、前記導光体に一体的に有している透光性の凸条部によって構成されている。
【発明の効果】
【００１６】
請求項１に係る発明では、互いに色が異なる照明光を発する第１の光源と第２の光源とは、細長い透光部の長辺に対して両側に、対向し合って位置している。細長い透光部と第１及び第２の光源との間に位置している導光部は、２つの光源がそれぞれ発した照明光を細長い透光部へ「個別に」導く。このため、２つの光源がそれぞれ発した各照明光を、細長い透光部から任意の適切な照明状態で出射するように、導光部の構成や配置を設定することができる。従って、２つの光源が発する各照明光を切り替えたとき（照明光切り替え時）の、各照明光の輝度のバランスの変化や、２つの光源が同時に照明光を発したとき（混色時）の色ムラの発生といった現象を、極力抑制することができる。
【００１７】
請求項２に係る発明では、導光部を、それぞれ専用の反射面によって構成している。このため、２つの光源が発した照明光を、それぞれ専用の反射面によって、個別に細長い透光部へ導くことができる。それぞれの反射面の構成や配置を適宜に設定することにより、照明光切り替え時の輝度のバランスの変化や、混色時の色ムラの発生を、容易に抑制して、任意の照明表示状態を実現することができる。
【００１８】
請求項３に係る発明では、導光部は、第１及び第２の光源がそれぞれ発した照明光を細長い透光部へ個別に導く、導光体によって構成されている。導光体における第１及び第２の入射面、第１及び第２の反射面、出射面を適宜に設定することにより、照明光切り替え時の輝度のバランスの変化や、混色時の色ムラの発生を、容易に抑制して、任意の照明表示状態を実現することができる。
【００１９】
請求項４に係る発明では、細長い透光部は、導光体に一体形成された透光性の凸条部によって構成されている。このため、導光体から細長い透光部へ照明光を効率よく出射することができる。
【図面の簡単な説明】
【００２０】
【図１】本発明の実施例１による発光装置の正面図である。
【図２】図１の２−２線に沿った断面図である。
【図３】図２に示される発光装置の分解した斜視図である。
【図４】本発明の実施例２による発光装置の断面図である。
【図５】図４に示される発光装置の分解した斜視図である。
【図６】本発明の実施例３による発光装置の断面図である。
【図７】図６に示される発光装置の分解した斜視図である。
【図８】想定例の発光装置の正面図である。
【図９】図８の９−９線に沿った断面図である。
【発明を実施するための形態】
【００２１】
本発明の実施の形態を添付図に基づいて以下に説明する。
＜実施例１＞
【００２２】
実施例１について説明する。図１に示されるように、発光装置１０は、例えば車両の各部位の異常状態が発生していないときに、各部位が正常状態にあることを、積極的に発光表示する、いわゆるアンビエント表示器である。この発光装置１０は、車両の各部位の異常状態を警告表示する集中インジケータＩＧに組み込まれている。
【００２３】
図１〜図３に示されるように、この発光装置１０は、前面パネル１１と、この前面パネル１１の表示面１１ａに有した透光部１２と、この前面パネル１１の裏側に離間して対面した平板状の基板１３と、この基板１３に実装された第１及び第２の光源１４，１５と、この第１及び第２の光源１４，１５と透光部１２との間に位置した導光部１６とを含む。
【００２４】
第１及び第２の光源１４，１５と導光部１６とは、白色の合成樹脂製のケース１７に収納されている。前面パネル１１と基板１３とケース１７とによって囲まれた空間１８のことを、空間部１８という。この空間部１８に第１及び第２の光源１４，１５と導光部１６とが配置されている。
【００２５】
前面パネル１１は、ポリカーボネート等の透光性樹脂の平板によって構成されている。この前面パネル１１の表示面１１ａは、集中インジケータＩＧの表示面ＩＧａと同方向を向き、視認者が目視する面であって、透光を遮る非透光層１９によって全面的に覆われている。この非透光層１９は、例えば前面パネル１１に印刷によって形成された印刷層からなる。
【００２６】
透光部１２は、第１及び第２の光源１４，１５からそれぞれ発せられた照明光３１，３２を、前面パネル１１を透して透過することが可能な部分であって、例えば、前面パネル１１及び非透光層１９を貫通した貫通孔によって構成されている。
【００２７】
なお、この透光部１２は次のように構成してもよい。つまり、前面パネル１１の表示面１１ａの一部に、非透光層１９によって覆われない透光部分を有することにより、この透光部分を透光部１２とすることができる。この場合には、前面パネル１１及び非透光層１９を貫通する貫通孔は必要ない。
【００２８】
この透光部１２は、平坦な表示面１１ａに沿って細長い（つまり、所定の仮想線である仮想水平ラインＨＬに沿って細長い）。この透光部１２の形状は、表示面１１ａ側から見て直線状又は円弧状である。この透光部１２の縁は、一対の細長い長辺１２ａ，１２ａと、一対の短い短辺１２ｂ，１２ｂとからなる。
【００２９】
第１及び第２の光源１４，１５は、前面パネル１１の裏側に位置したチップ型発光ダイオード（ＬＥＤ）によって構成されており、制御部２１によって個別に点灯制御される。第１及び第２の光源１４，１５は、互いに色が異なる単色の光３１，３２（照明光３１，３２）を発する。例えば、第１の光源１４が発する第１の照明光３１の色は緑色であり、第２の光源１５が発する第２の照明光３２の色はアンバー色である。図１に示されるように、第１及び第２の光源１４，１５には、輝度５０％のときの光照射領域角度が、光軸を中心として両側へそれぞれ略６０°の指向性を有するものが採用されている。つまり、第１及び第２の光源１４，１５の光照射領域角度は略１２０°である。第１及び第２の光源１４，１５からそれぞれ発せられた照明光３１，３２は、透光部１２を透過することが可能である。
【００３０】
図１〜図３に示されるように、第１の光源１４と第２の光源１５とは、細長い透光部１２の長辺１２ａに対して両側に、対向し合って位置している。さらに、第１の光源１４と第２の光源１５とは、細長い透光部１２の長手方向の略中央に位置することが、より好ましい。透光部１２の一方の長辺１２ａから第１の光源１４までの間隔と、透光部１２の他方の長辺１２ａから第２の光源１５までの間隔とは、同一である。換言すると、透光部１２の中心点Ｃ１の真下にある基板１３の基板中心点Ｃ２から等しい距離の位置に、第１及び第２の光源１４，１５がある。
【００３１】
導光部１６は、第１及び第２の光源１４，１５がそれぞれ発した照明光３１，３２を透光部１２へ個別に導くものである。この導光部１６は、第１の反射板４１と第２の反射板４２とからなる。より詳しくは、導光部１６は、第１の反射板４１の反射面４１ａと、第２の反射板４２の反射面４２ａとによって構成されている。
【００３２】
第１の反射板４１は、第１の光源１４が発した第１の照明光３１のみを反射面４１ａによって透光部１２へ導く、第１の光源１４専用の導光部材である。第２の反射板４２は、第２の光源１５が発した第２の照明光３２のみを反射面４２ａによって透光部１２へ導く、第２の光源１５専用の導光部材である。
【００３３】
第１の反射板４１と第２の反射板４２とは、細長い透光部１２の長辺１２ａに対して両側に、つまり透光部１２を挟んで両側に、対向し合って位置している。第１及び第２の反射板４１，４２の各反射面４１ａ，４２ａは、透光部１２の長手方向から見て、互いに対向し合う凹状に、且つ基板１３に対して凹状に形成されてなる。例えば、第１及び第２の反射板４１，４２は、概ね１／４円弧状断面の部材である。さらに、第１及び第２の反射板４１，４２は、細長い透光部１２の長辺１２ａに沿って細長く延びている。この第１及び第２の反射板４１，４２の長手方向の両端は、透光部１２の短辺１２ｂ，１２ｂに位置している。
【００３４】
第１及び第２の反射板４１，４２は、ケース１７（図２参照）に取り付けられている。なお、この第１及び第２の反射板４１，４２は、ケース１７と一体形成された構成であってもよい。
【００３５】
前記基板１３は、第１及び第２の反射板４１，４２によって反射された各照明光３１，３２を反射する反射面１３ａを有する。基板１３の反射面１３ａによって反射された各照明光３１，３２は、最終的に透光部１２へ向かう。
【００３６】
次に、上記構成の実施例１の作用を説明する。図２に示されるように、制御部２１は第１の光源１４と第２の光源１５のいずれか一方のみを点灯、又は両方を同時に点灯するように制御する。
【００３７】
第１の光源１４が発した第１の照明光３１は、第１の反射板４１の反射面４１ａによって反射されて基板１３の反射面１３ａに向かう。第１の照明光３１は、基板１３の反射面１３ａによって更に反射される。第１の反射板４１の反射面４１ａと基板１３の反射面１３ａとの間で反射された第１の照明光３１は、最終的に透光部１２へ向かい、この透光部１２から外方へ透過される。
【００３８】
一方、第２の光源１５が発した第２の照明光３２は、第２の反射板４２の反射面４２ａによって反射されて基板１３の反射面１３ａに向かう。第２の照明光３２は、基板１３の反射面１３ａによって更に反射される。第２の反射板４２の反射面４２ａと基板１３の反射面１３ａとの間で反射された第２の照明光３２は、最終的に透光部１２へ向かい、この透光部１２から外方へ透過される。
【００３９】
このように、第１及び第２の光源１４，１５が発した各照明光３１，３２を、それぞれ専用の反射面４１ａ，４２ａによって、個別に細長い透光部１２へ導くことができる。それぞれの反射面４１ａ，４２ａの構成や配置を適宜に設定することにより、照明光切り替え時の輝度のバランスの変化や、混色時の色ムラの発生を、容易に抑制して、任意の照明表示状態を実現することができる。
【００４０】
以上の説明をまとめると、次の通りである。互いに色が異なる照明光３１，３２を発する第１の光源１４と第２の光源１５とは、細長い透光部１２の長辺１２ａに対して両側に、対向し合って位置している。細長い透光部１２と第１及び第２の光源１４，１５との間に位置している導光部１６は、２つの光源１４，１５がそれぞれ発した照明光３１，３２を細長い透光部１２へ「個別に」導く。このため、２つの光源１４，１５がそれぞれ発した各照明光３１，３２を、細長い透光部１２から任意の適切な照明状態で出射するように、導光部１６の構成や配置を設定することができる。特に、この場合、基板中心点Ｃ２から等距離の位置に第１の光源１４と第２の光源１５とが位置しているので、細長い透光部１２へと至る第１の照明光３１の輝度と、細長い透光部１２へと至る第２の照明光３２の輝度とは、略同一となる。従って、２つの光源１４，１５が発する照明光３１，３２を切り替えたとき（照明光切り替え時）の、照明光３１，３２の輝度のバランスの変化や、２つの光源１４，１５が同時に照明光３１，３２を発したとき（混色時）の色ムラの発生といった現象を、極力抑制することができる。
＜実施例２＞
【００４１】
本発明の実施例２の発光装置１０Ａを図４及び図５に基づいて説明する。なお、上記図１に示される実施例１の構成は、実施例２でも同じである。図４は図２に対応させて表している。図５は図３に対応させて表している。
【００４２】
実施例２の発光装置１０Ａは、図２及び図３に示される実施例１の導光部１６を、図４及び図５に示される導光部１６Ａに変更したことを特徴とし、その他の基本的な構成については、実施例１による発光装置１０と共通する。実施例１と共通する部分については、符号を流用すると共に、詳細な説明を省略する。
【００４３】
実施例２の導光部１６Ａは、第１及び第２の光源１４，１５がそれぞれ発した照明光３１，３２を細長い透光部１２へ個別に導く、単一の導光体５０によって構成されている。この導光体５０は空間部１８に配置されている。実施例２では、基板１３は反射面１３ａ（図２参照）を必要としない。
【００４４】
導光体５０は、アクリル樹脂等の無色透光性の材料によって構成された一体成型品であって、ケース１７に取り付けられている。導光体５０は、透光部１２の長手方向から見て略逆Ｕ字状断面に形成されてなるとともに、細長い透光部１２の長辺１２ａに沿って細長く延びている。導光体５０の長手方向の両端は、透光部１２の短辺１２ｂ，１２ｂに位置している。
【００４５】
以下、導光体５０について詳しく説明する。この導光体５０は、前面パネル１１の裏面１１ｂに対面している平板状の本体５１と、この本体５１の一端のコーナーから第１の光源１４へ向かって延びた第１入射部５２と、この本体５１の他端のコーナーから第２の光源１５へ向かって延びた第２入射部５３とからなる。第１入射部５２と第２入射部５３とは、細長い透光部１２の長辺１２ａに対して両側に、対向し合って位置している。
【００４６】
本体５１は、前面パネル１１の裏面１１ｂの近傍に位置し、透光部１２の長辺１２ａに沿って細長く延びた略矩形状の部分である。第１入射部５２の先端面５２ａは、第１の照明光３１を入射することが可能な「第１の入射面５２ａ」をなす。第２入射部５３の先端面５３ａは、第２の照明光３２を入射することが可能な「第２の入射面５３ａ」をなす。本体５１のなかの、前面パネル１１の裏面１１ｂに対面する面５１ａは、第１及び第２の入射面５２ａ，５３ａから入射した第１及び第２の照明光３１，３２を透光部１２へ出射することが可能な「出射面５１ａ」をなす。
【００４７】
本体５１と第１入射部５２とのコーナーには、第１の入射面５２ａから入射した第１の照明光３１を反射する、第１の反射面５４が形成されてなる。本体５１と第２入射部５３とのコーナーには、第２の入射面５３ａから入射した第２の照明光３２を反射する、第２の反射面５５が形成されてなる。この第１及び第２の反射面５４，５５は、傾斜面である。
【００４８】
以上の説明から明らかなように、この導光体５０は、第１の照明光３１を入射する第１の入射面５２ａと、この第１の入射面５２ａから入射した第１の照明光３１を反射する第１の反射面５４と、第２の照明光３２を入射する第２の入射面５３ａと、この第２の入射面５３ａから入射した第２の照明光３２を反射する第２の反射面５５と、第１及び第２の反射面５４，５５からそれぞれ反射された第１及び第２の照明光３１，３２を出射する出射面５１ａとを有している。
【００４９】
次に、上記構成の実施例２の作用を説明する。図４に示されるように、第１の光源１４が発した第１の照明光３１は、第１の入射面５２ａから入射して第１入射部５２を透過し、第１の反射面５４によって本体５１内へ反射される。本体５１内で反射を繰り返しつつ透過した第１の照明光３１は、最終的に出射面５１ａの概ね中央から出射して、透光部１２へ向かい、この透光部１２から外方へ透過される。
【００５０】
一方、第２の光源１５が発した第２の照明光３２は、第２の入射面５３ａから入射して第２入射部５３を透過し、第２の反射面５５によって本体５１内へ反射される。本体５１内で反射を繰り返しつつ透過した第２の照明光３２は、最終的に出射面５１ａの概ね中央から出射して、透光部１２へ向かい、この透光部１２から外方へ透過される。
【００５１】
実施例２によれば、導光部１６Ａは、第１及び第２の光源１４，１５がそれぞれ発した第１及び第２の照明光３１，３２を細長い透光部１２へ個別に導く、導光体５０によって構成されている。このため、第１及び第２の照明光３１，３２を、それぞれ専用の反射面５４，５５によって、個別に細長い透光部へ導くことができる。それぞれの反射面５４，５５の構成や配置を適宜に設定することにより、照明光切り替え時の輝度のバランスの変化や、混色時の色ムラの発生を、容易に抑制して、任意の照明表示状態を実現することができる。
【００５２】
その他の作用、効果は実施例１と同等であり、説明を省略する。
＜実施例３＞
【００５３】
本発明の実施例３の発光装置１０Ｂを図６及び図７に基づいて説明する。なお、上記図１に示される実施例１の構成は、実施例３でも同じである。図６は図４に対応させて表している。図７は図５に対応させて表している。
【００５４】
実施例３の発光装置１０Ｂは、図４及び図５に示される実施例２の導光部１６Ａを、図６及び図７に示される導光部１６Ｂに変更するとともに、この導光部１６Ｂの凸条部５７によって透光部を構成したことを特徴とし、その他の基本的な構成については、実施例２による発光装置１０Ａと共通する。実施例２と共通する部分については、符号を流用すると共に、詳細な説明を省略する。
【００５５】
実施例３の導光部１６Ｂは、導光体５０Ｂによって構成されている。この導光体５０Ｂの基本的な構成は、図４及び図５に示される実施例２の導光体５０と同じである。実施例３の導光体５０Ｂは、透光性の凸条部５７（凸部５７）を一体的に有していることを特徴とする。例えば、凸条部５７は導光体５０Ｂに一体形成されてなる。詳しく説明すると、この透光性の凸条部５７は、本体５１の出射面５１ａから前面パネル１１へ向かって突出している。この凸条部５７は、導光体５０Ｂの長手方向の全体にわたって細長く形成されてなる。凸条部５７の先端面５７ａは平坦である。
【００５６】
さらに実施例３では、図４及び図５に示される実施例２の透光部１２の代わりに、貫通孔１２Ｂを有する。実施例２の貫通孔からなる透光部１２の構成に対して、実施例３の貫通孔１２Ｂの構成は同じである。詳しく説明すると、この貫通孔１２Ｂは、平坦な表示面１１ａに沿って細長い（つまり、所定の仮想線である仮想水平ラインＨＬに沿って細長い）。この貫通孔１２Ｂの形状は、表示面１１ａ側から見て直線状又は円弧状である。この貫通孔１２Ｂの縁は、一対の細長い長辺１２ａＢ，１２ａＢと、一対の短い短辺１２ｂＢ，１２ｂＢとからなる。
【００５７】
凸条部５７は、貫通孔１２Ｂに対して実質的に（基本的に）ほぼ隙間無く嵌合可能な形状と大きさに設定されている。凸条部５７が貫通孔１２Ｂに嵌め込まれた構成において、凸条部５７の先端面５７ａは前面パネル１１の表示面１１ａに対して同一又は若干突出している。
【００５８】
次に、上記構成の実施例３の作用を説明する。図６に示されるように、第１及び第２の光源１４，１５が発した照明光３１，３２は、導光体５０Ｂの各入射面５２ａ，５３ａから入射し、本体５１内から凸条部５７を透過して、この凸条部５７の先端面５７ａから外方へ透過される。
【００５９】
実施例３によれば、細長い透光部は、導光体５０Ｂに一体形成された透光性の凸条部５７によって構成されている。このため、導光体５０Ｂから細長い透光部（凸条部５７）へ照明光３１，３２を効率よく出射することができる。その他の作用、効果は実施例２と同等であり、説明を省略する。
【００６０】
なお、本発明の作用及び効果を奏する限りにおいて、本発明は、実施例に限定されるものではない。
【産業上の利用可能性】
【００６１】
本発明の発光装置１０，１０Ａ，１０Ｂは、自動車等の車両用集中インジケータＩＧに採用するのに好適である。
【符号の説明】
【００６２】
１０    発光装置（実施例１）
１０Ａ  発光装置（実施例２）
１０Ｂ  発光装置（実施例３）
１１    前面パネル
１１ａ  表示面
１２    透光部
１２ａ  長辺
１４    第１の光源
１５    第２の光源
１６    導光部（実施例１）
１６Ａ  導光部（実施例２）
１６Ｂ  導光部（実施例３）
３１    第１の照明光
３２    第２の照明光
４１    第１の反射板
４１ａ  反射面
４２    第２の反射板
４２ａ  反射面
５０    導光体（実施例２）
５０Ｂ  導光体（実施例３）
５１ａ  出射面
５２ａ  第１の入射面
５３ａ  第２の入射面
５４    第１の反射面
５５    第２の反射面
５７    凸条部
【図１】
2018069768.tif 000003
【図２】
2018069768.tif 000004
【図３】
2018069768.tif 000005
【図４】
2018069768.tif 000006
【図５】
2018069768.tif 000007
【図６】
2018069768.tif 000008
【図７】
2018069768.tif 000009
【図８】
2018069768.tif 000010
【図９】
2018069768.tif 000011